(57)【要約】      （修正有）【課題】粉体、粒体、フレークなどの原料をより均一に、より均一で短時間に効率良く混合するハイブリッドブレンダーを提供する。【解決手段】八角柱と八角錐状の形状を組み合わせたミキサータンク形状をしている。この形状とミキサータンクの振り子運動及び自転運動の組み合わせをもって混合する原料に三次元対流を付与させて均一な混合、短時間で効率の良い処理を行い、原料の混合における混合具合の不均一性、生産性の改善に関する課題を解決する。【選択図】図１
0003162349.tif 000002
【実用新案登録請求の範囲】
【請求項１】
本考案は設備本体のミキサータンク形状とそのミキサータンクに振り子動作と自転動作を与え、粉体や粒体やフレークといった原料をより均一で短時間に効率良く混合させる混合機。
【考案の詳細な説明】
【技術分野】
【０００１】  本考案は混合機本体のミキサータンク形状とそのミキサータンクに振り子動作と自転動作を与え、粉体や粒体やフレークといった原料をより均一で短時間に効率良く混合させるものである。
【背景技術】
【０００２】  化学、食品、医薬などの産業分野で生産される製品を作り上げる為に様々な粉体、粒体、フレークなどの原料を混合させている。原料の混合において混合方法や原料の比重や嵩の違いにより完成する混合材料の混合具合にばらつきが発生する。このばらつきは混合され出来る材料の品質のみではなく、混合され出来る材料を使用して生産される製品の品質にも影響を与える。またより均一な混合を求めるが故に混合させる原料の１回当りの混合処理量を少なくしたり混合処理時間を長くしたりする場合がある。１回当りの混合処理量を少なくする事や混合処理時間を長くする事は生産性の低下になるので極力避ける改善を取るべきである。本考案は混合の均一性向上、時間短縮と生産性の向上を実現する為の技術である。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  化学、食品、医薬などの産業分野にとって製品原料の混合品質は混合された材料を使用して生産される完成品自体の品質にも影響を及ぼす。故により均一な混合が求められる。またより効率的な混合処理時間や混合処理量での生産も求められる。本考案は前述の点を改善する為に本考案混合機独自のタンク形状並びにこれの動作によって解決するものである。
【課題を解決するための手段】
【０００６】  本考案は混合機本体に取り付けるミキサータンク形状とそのタンクに与える動作によりミキサータンク内に投入された原料に三次元対流を発生させ、前述課題を解決するものである。本考案混合機のミキサータンク形状は一般的な円錐や円柱とは異なり、図１に見られる様に八角柱とその上部と底部に八角錐状の形状を組み合わせた外観に設計されている。この形状にする目的はミキサータンクに投入した原料に三次元対流を効率よく発生させ、投入した原料が効率良くミキサータンク内で攪拌され、尚且つ均一な混合された材料の生産を可能にする為である。混合機本体ではこのミキサータンクを振り子動作と自転動作を組み合わせ、ミキサータンク内の原料に三次元対流を発生させる動きを与える。振り子動作とは機械正面から見て横軸を中心に縦方向に正転と逆転を繰り返し行う。自転運動は同一方向から機械を見て縦軸を中心にミキサータンクが横に回転することを言う。
【考案の効果】
【０００７】  本考案はタンク内で混合する原料に一定方向の攪拌対流を付与する形式の混合機とは異なる。本考案混合機は、そのミキサータンク形状と混合機本体の独特な動作によってミキサータンク内の混合する原料に三次元対流を付与する。つまりより均一で安定した品質の混合された材料とより良い生産効率でそれを生産することが出来るようになる効果がある。
【図面の簡単な説明】
【０００８】
【図１】本考案の混合機ミキサータンクである。
【０００９】
【図２】本考案の混合機である。
【考案を実施するための形態】
【００１０】  混合させる原料を図２のミキサータンク２−ａの上部投入口から投入する。図２の材料供給ホッパー４−ａは本考案混合機の自動材料供給に付属するものであるが、手動供給若しくはミキサータンクを混合機本体より取り外して別の場所で材料を投入する場合は４−ａは混合機本体には付属しない。また混合を開始する前にミキサータンクに与える回転速度や混合時間を設定する。設定については混合させる原料の比重や嵩などを考慮して本考案混合機本体のタッチパネル上で各々設定する。設定及びミキサータンク取り付けが完了すると混合機の運転を開始する。運転開始と同時にミキサータンクは図２の自転モーター３−ｉを駆動源とした横回転が行われ、其れと同時に図２の公転モーター３−ａを駆動源により公転軸３−ｃを中心とした縦の振り子動作を開始する。運転を開始して設定された混合時間になるとミキサータンクの回転は停止し、ミキサータンク内の原料はより均一に混合された材料となる。
【符号の説明】
【００１１】１−ａ  タンクリフター
１−ｂ  リフターシリンダー
２−ａ  ミキサータンク
２−ｂ  キャスター
２−ｃ  開閉弁
３−ａ  公転モーター
３−ｂ  公転駆動伝達歯車
３−ｃ  公転軸
３−ｄ  タンク保持ローラー
３−ｅ  ケージ
３−ｆ  タンククランプローラー
３−ｇ  タンク自転ローラー
３−ｈ  タンククランプシリンダー
３−ｉ  自転モーター
３−ｊ  自転駆動伝達歯車
４−ａ  材料供給ホッパー
４−ｂ  ホッパー駆動シリンダー
４−ｃ  シャッター
４−ｄ  シャッターシリンダー
５−ａ  材料排出ホッパー
【図１】
0003162349.tif 000003
【図２】
0003162349.tif 000004
【手続補正書】
【提出日】平成22年3月5日(2010.3.5)
【手続補正１】
【補正対象書類名】実用新案登録請求の範囲
【補正対象項目名】全文
【補正方法】変更
【補正の内容】
【実用新案登録請求の範囲】
【請求項１】
粉粒体原料を混合させるミキサータンクは、金属製の平板を加工した八角柱の両底面部に前記同様の板で加工した２個の八角錐台の底面部を貼りあわせた形状を成し、ミキサータンク上部を開閉させて原料を中に投入出来る様に開閉弁を設け、ミキサータンクが機械本体から外れないようにする為やミキサータンクに原料を混合させる為の回転を与える為の機能を据え付ける金属製のフレームであるケージを機械本体の中心に設置し、ミキサータンクを機械本体に固定する為の機能は、エアー圧を用いたタンククランプシリンダー４本と円柱形をした樹脂製のタンククランプローラー４個を各１個ずつ組合せてミキサータンクをタンククランプローラーで横から挟むように固定させ、更にミキサータンクが下方向に落下しないようにする為に、金属製のシャフトでゲージ側面に対して直角に取付けてある公転軸の端部に円筒形で樹脂製のタンク保持ローラー１個を取付け、公転軸側の反対には動力に連動させていないタンク保持ローラー１個をミキサータンク両側面溝に入れて落下防止機能を持たせ、これら前記機構をケージに装着させる事によって固定機能を構成しており、原料を混合させるミキサータンクの回転の１つを成す横回転である自転は、ケージ側面の縦方向に取付けられる回転の原動力である自転モーターの回転軸端部に、金属製の自転駆動伝達歯車を１枚取付け、更にミキサータンク側面に接触している上下合せて２個の円柱形で樹脂製のタンク自転ローラーの間に自転駆動伝達歯車を取付けて、これら２枚の歯車を連動させる事によってタンク自転ローラーを横方向に回転させて自転運動を与える事が出来、またもう１つの回転であるミキサータンクの縦反復回転を成す公転は、公転モーターの回転軸端部に公転駆動伝達歯車１枚と公転モーター上部の公転軸の端部に公転駆動伝達歯車１枚を取付けて、この２枚の公転駆動伝達歯車を互いに連結させて、ケージに固定されている公転軸に回転を伝達する事でケージと其れに設置されている前記の固定機能によって固定されているミキサータンク自体に公転運動を与える事が出来る為、これらミキサータンクの自転と公転を同時に組合せる事が可能になり、短時間で、均一で、効率良く粉粒体原料を混合させるという特徴を持つハイブリッドブレンダー。
【手続補正書】
【提出日】平成22年5月26日(2010.5.26)
【手続補正１】
【補正対象書類名】実用新案登録請求の範囲
【補正対象項目名】全文
【補正方法】変更
【補正の内容】
【実用新案登録請求の範囲】
【請求項１】
粉粒体原料を混合させるミキサータンクは、金属製の平板を加工した八角柱の両底面部に前記同様の板で加工した２個の八角錐台の底面部を貼りあわせた形状を成し、ミキサータンク上部を開閉させて原料を中に投入出来る様に開閉弁を設け、ミキサータンクが機械本体から外れないようにする為やミキサータンクに原料を混合させる為の回転を与える為の機能を据え付ける金属製のフレームであるケージを機械本体の中心に設置し、ミキサータンクを機械本体に固定する為の機能は、エアー圧を用いたタンククランプシリンダー４本と円柱形をした樹脂製のタンククランプローラー４個を各１個ずつ組合せてミキサータンクをタンククランプローラーで横から挟むように固定させ、更にミキサータンクが下方向に落下しないようにする為に、金属製のシャフトでケージ側面に対して直角に取付けてある公転軸の端部に円筒形で樹脂製のタンク保持ローラー１個を取付け、公転軸側の反対には動力に連動させていないタンク保持ローラー１個をミキサータンク両側面溝に入れて落下防止機能を持たせ、これら前記機構をケージに装着させる事によって固定機能を構成しており、原料を混合させるミキサータンクの回転の１つを成す横回転である自転は、ケージ側面の縦方向に取付けられる回転の原動力である自転モーターの回転軸端部に、金属製の自転駆動伝達歯車を１枚取付け、更にミキサータンク側面に接触している上下合せて２個の円柱形で樹脂製のタンク自転ローラーの間に自転駆動伝達歯車を取付けて、これら２枚の歯車を連動させる事によってタンク自転ローラーを横方向に回転させて自転運動を与える事が出来、またもう１つの回転であるミキサータンクの縦反復回転を成す公転は、公転モーターの回転軸端部に公転駆動伝達歯車１枚と公転モーター上部の公転軸の端部に公転駆動伝達歯車１枚を取付けて、この２枚の公転駆動伝達歯車を互いに連結させて、ケージに固定されている公転軸に回転を伝達する事でケージと其れに設置されている前記の固定機能によって固定されているミキサータンク自体に公転運動を与える事が出来る為、これらミキサータンクの自転と公転を同時に組合せる事が可能になり、短時間で、均一で、効率良く粉粒体原料を混合させるという特徴を持つハイブリッドブレンダー。